(57)【要約】【課題】  キーボードの前面を良好に保護することができるキーボードカバーおよびそれを備えた電子レジスタを提供する。【解決手段】  キーボード部４を覆って配置され、上面に外部端末であるタブレット端末１１が載置可能なカバー本体１２と、このカバー本体１２における手前側の辺部に設けられ、キーボード部４の手前側の前面を覆うガード部１６と、を備えている。従って、キーボード部４の前面をガード部１６によって確実にかつ良好に保護することができるので、キーボード部４の前面側に物がぶつかってキーボード部４の前面が傷付かないようにすることができる。【選択図】        図１
2019185650.tif 000002
【特許請求の範囲】
【請求項１】
キーボードを覆って配置され、上面に外部端末が載置可能なカバー本体と、
前記カバー本体における手前側の辺部に設けられ、前記キーボードの手前側の前面を覆うガード部と、
を備えていることを特徴とするキーボードカバー。
【請求項２】
請求項１に記載のキーボードカバーにおいて、前記カバー本体の外周部は、前記ガード部を除いて、前記キーボードの上面における外周上に配置されるように構成されていることを特徴とするキーボードカバー。
【請求項３】
請求項１または請求項２に記載のキーボードカバーにおいて、前記キーボードは、レジスタ本体上における手前側に設けられており、前記レジスタ本体は、金銭を収納するドロア上に配置されていることを特徴とするキーボードカバー。
【請求項４】
請求項３に記載のキーボードカバーにおいて、前記ガード部は、前記ドロアの引出部が引き出された状態で、前記引出部内の紙幣押え部が起立した際に、前記紙幣押え部が当接することを特徴とするキーボードカバー。
【請求項５】
請求項３または請求項４に記載のキーボードカバーにおいて、前記ガード部は、前記ドロアの前面よりも手前側に延長して設けられていることを特徴とするキーボードカバー。
【請求項６】
請求項５に記載のキーボードカバーにおいて、前記ガード部は、内部に空間部が設けられ、前記空間部内に補強リブが設けられていることを特徴とするキーボードカバー。
【請求項７】
請求項１〜請求項６のいずれかに記載のキーボードカバーにおいて、前記カバー本体の下面には、前記キーボードの外周を囲む外周支持部と、前記キーボードの複数のキーブロック間に配置される中間支持部と、が設けられていることを特徴とするキーボードカバー。
【請求項８】
請求項１〜請求項７のいずれかに記載のキーボードカバーにおいて、前記カバー本体は、透明または半透明の軟質合成樹脂で形成されていることを特徴とするキーボードカバー。
【請求項９】
請求項１〜請求項８のいずれかに記載されたキーボードカバーを備えていることを特徴とする電子レジスタ。
【発明の詳細な説明】
【技術分野】
【０００１】
この発明は、キーボードを備えた電子機器に用いられるキーボードカバーおよびそれを備えた電子レジスタに関する。
【背景技術】
【０００２】
例えば、キーボードを備えた電子機器においては、特許文献１に記載されているように、キーボード上にキーボードカバーを配置し、このキーボードカバー上でメモなどの作業ができる構造のものが知られている。
【先行技術文献】
【特許文献】
【０００３】
【特許文献１】実用新案登録第３１２９１９５号公報
【０００４】
この種のキーボードカバーは、キーボード上に配置されるカバー本体と、このカバー本体の下面における四隅に設けられてカバー本体を支持する複数の支持部と、カバー本体の下面における両側部に設けられてキーボードに対するカバー本体の左右方向の位置を規制する規制部と、を備えた構造になっている。
【発明の概要】
【発明が解決しようとする課題】
【０００５】
このようなキーボードカバーでは、キーボード上に配置された際に、キーボードの手前側の前面が露出しているため、キーボードの前面に物がぶつかり易く、傷付き易いという問題がある。
【０００６】
この発明が解決しようとする課題は、キーボードの前面を良好に保護することができるキーボードカバーおよびそれを備えた電子レジスタを提供することである。
【課題を解決するための手段】
【０００７】
この発明は、キーボードを覆って配置され、上面に外部端末が載置可能なカバー本体と、前記カバー本体における手前側の辺部に設けられ、前記キーボードの手前側の前面を覆うガード部と、を備えていることを特徴とするキーボードカバーである。
【発明の効果】
【０００８】
この発明によれば、キーボードの前面を確実にかつ良好に保護することができる。
【図面の簡単な説明】
【０００９】
【図１】この発明を電子レジスタに適用した第１実施形態を示した斜視図である。
【図２】図１に示された電子レジスタにおいて、タブレット端末を取り除いた状態を示した斜視図である。
【図３】図２に示された電子レジスタにおいて、キーボードカバーを取り外した状態を示した分解斜視図である。
【図４】図３に示されたキーボードカバーを示し、（ａ）はそのＡ−Ａ矢視において破断した状態を示した要部の拡大斜視図、（ｂ）は（ａ）のＡ部を更に拡大して示した断面図である。
【図５】図２に示された電子レジスタにおいて、ドロア部の引出部を引き出した状態を示した斜視図である。
【図６】図５に示された電子レジスタにおいて、ドロア部の引出部内の紙幣押え部を起立させた状態で、キーボードカバーを破断して示した側面図である。
【図７】この発明を電子レジスタに適用した第２実施形態を示した斜視図である。
【図８】図７に示された電子レジスタにおいて、タブレット端末を取り除いてキーボードカバーを取り外した状態を示した分解斜視図である。
【図９】図８に示されたキーボードカバーを示し、（ａ）はそのＢ−Ｂ矢視において破断した状態を示した要部の拡大斜視図、（ｂ）は（ａ）のＢ部を更に拡大して示した断面図、（ｃ）は（ａ）のＣ−Ｃ矢視における要部を示した拡大断面図である。
【図１０】図７に示された電子レジスタにおいて、タブレット端末を取り除いてドロア部の引出部を引き出した状態を示した斜視図である。
【図１１】図１０に示された電子レジスタにおいて、ドロア部の引出部内の紙幣押え部を起立させた状態で、キーボードカバーを破断して示した側面図である。
【発明を実施するための形態】
【００１０】
（第１実施形態）
以下、図１〜図６を参照して、この発明を電子レジスタに適用した第１実施形態について説明する。
この電子レジスタは、図１〜図３に示すように、レジスタ部１と、このレジスタ部１が載置されるドロア部２と、を備えている。レジスタ部１は、レジスタ本体３を備えている。このレジスタ本体３は、手前側が低く奥側が高くなるように、上面が前下りに傾斜した形状に形成されている。
【００１１】
このレジスタ本体３の前側部には、図１〜図３に示すように、キーボード部４が設けられており、レジスタ本体３の右側奥部には、表示部５が設けられている。また、このレジスタ本体３の左側奥部には、プリンタ部６が設けられている。キーボード部４は、図３に示すように、キーボード本体７と複数のキーブロック８ａ〜８ｆとを備え、これらがレジスタ本体３の前側ほぼ半分の領域に配置されている。
【００１２】
この場合、複数のキーブロック８ａ〜８ｆのうち、第１のキーブロック８ａは、図３に示すように、アルファベットなどの文字キーが配列されている。第２のキーブロック８ｂは、数字などのテンキーが配列されている。第３のキーブロック８ｃは、＋、−などの演算キーが配列されている。第４のキーブロック８ｄは、第１のキーブロック８ａの上辺部よりも上側に複数の第１ファンクションキーが配列されている。
【００１３】
また、これら複数のキーブロック８ａ〜８ｆのうち、第５のキーブロック８ｅは、図３に示すように、第２のキーブロック８ｂの上辺部よりも上側に複数の第２ファンクションキーが配列されている。第６のキーブロック８ｆは、第３のキーブロック８ｃの上辺部よりも上側に複数の第３ファンクションキーが配列されている。
【００１４】
この場合、キーボード本体７は、図３に示すように、レジスタ本体３の前側ほぼ半分の領域に配置され、複数のキーブロック８ａ〜８ｆごとに対応する複数の開口部７ａが設けられた構造になっている。また、このキーボード本体７には、複数のキーブロック８ａ〜８ｆ間に対応して複数の仕切部７ｂがそれぞれ設けられている。
【００１５】
これにより、複数の複数のキーブロック８ａ〜８ｆの各キートップは、図３に示すように、キーボード本体７の複数の開口部７ａ内に各キーブロック８ａ〜８ｆごとに配置された状態で、キーボード本体７の上面および仕切部７ｂの上面から上方に突出した状態で配置されている。
【００１６】
一方、表示部５は、図１〜図３に示すように、液晶表示パネルやＥＬ（エレクトロ・ルミネッセンス）表示パネルなどの平面型の表示パネルであり、レジスタ本体３の奥側半分の領域における右側ほぼ半分の領域に設けられている。これにより、表示部５は、キーボード部４の入力操作に応じて入力されたデータを電気光学的に表示するように構成されている。
【００１７】
プリンタ部６は、図１〜図３に示すように、レジスタ本体３の奥側半分の領域における左側ほぼ半分の領域に設けられている。このプリンタ部６は、図示しないが、レジスタ本体３の内部に印字部とロール状の記録紙とを備え、印字部が記録紙に売上データなど情報を印字し、この印字された記録紙をレジスタ本体３の上面に設けられた記録紙排出口６ａからレシートとして発行するように構成されている。
【００１８】
ところで、この電子レジスタは、図１〜図３に示すように、レジスタ部１とドロア部２とのほかに、キーボード部４を覆って配置されるキーボードカバー１０を備えている。このキーボードカバー１０は、上面に外部端末であるタブレット端末１１が載置されるように構成されている。
【００１９】
このキーボードカバー１０は、図１〜図４に示すように、シリコーンゴム、ウレタンゴムなどの透明または半透明の軟質合成樹脂で、好ましくはシリコーンゴムで形成されている。すなわち、このキーボードカバー１０は、カバー本体１２と、このカバー本体１２の外周部を支持する外周支持部である外周リブ１３と、キーボード部４の複数のキーブロック８ａ〜８ｆ間に配置されてカバー本体１２を支持する中間支持部である中間リブ１４と、を備え、これらがシリコーンゴムで一体に形成されている。
【００２０】
この場合、外周リブ１３は、図１〜図４に示すように、カバー本体１２の下面における外周部に枠状に設けられ、キーボード部４における複数のキーブロック８ａ〜８ｆ全体の外周に対応するキーボード本体７の上面における外周上に配置されることにより、カバー本体１２の外周部を支持するように形成されている。
【００２１】
この外周リブ１３は、図１〜図４に示すように、上下方向の高さ（厚み）が複数のキーブロック８ａ〜８ｆの各キートップの突出長さ、つまりキーボード本体７の上面から上方に突出するキートップの突出長さと同じか、それよりも少し高く（厚く）形成されている。
【００２２】
中間リブ１４は、図１〜図４に示すように、キーボード部４の複数のキーブロック８ａ〜８ｆ間に対応するカバー本体１２の下面に格子状に設けられ、複数のキーブロック８ａ〜８ｆ間に対応するキーボード本体７の仕切部７ｂ上に配置されることにより、複数のキーブロック８ａ〜８ｆ間に対応する箇所のカバー本体１２を支持するように形成されている。
【００２３】
この場合にも、中間リブ１４は、図４（ａ）および図４（ｂ）に示すように、外周リブ１３の上下方向の高さ（厚み）と同じ高さで形成されている。すなわち、この中間リブ１４も、上下方向の高さ（厚み）が複数のキーブロック８ａ〜８ｆの各キートップの突出長さ、つまりキーボード本体７の仕切部７ｂの上面から上方に突出するキートップの突出長さと同じか、それよりも少し高く（厚く）形成されている。
【００２４】
これにより、キーボードカバー１０は、図４（ａ）および図４（ｂ）に示すように、下面に外周リブ１３と中間リブ１４とで囲われた凹部１２ａが複数のキーブロック８ａ〜８ｆそれぞれに対応して設けられた構造になっている。この場合、凹部１２ａに対応するカバー本体１２は、その肉厚（厚み）Ｔ１が例えば０．５ｍｍ程度と薄く形成されており、外周リブ１３と中間リブ１４とは、その高さ（厚み）Ｔ２が例えば４ｍｍ程度と厚く形成されている。
【００２５】
このため、このキーボードカバー１０は、図１〜図４に示すように、キーボード部４上に配置される際に、キーボード本体７の外周に外周リブ１３を対応させ、複数のキーブロック８ａ〜８ｆ間に中間リブ１４を対応させ、この状態で外周リブ１３がキーボード本体７の上面における外周上に配置されると共に、中間リブ１４が複数のキーブロック８ａ〜８ｆ間に対応するキーボード本体７の仕切部７ｂ上に配置されるように構成されている。
【００２６】
また、このキーボードカバー１０は、図１〜図４に示すように、外周リブ１３がキーボード本体７の上面における外周上に配置され、中間リブ１４がキーボード本体７の仕切部７ｂ上に配置された際に、複数のキーブロック８ａ〜８ｆの各キートップがカバー本体１２の凹部１２ａ内に配置されて、カバー本体１２の下面に接触もしくは接近して配置されるように構成されている。
【００２７】
この場合、キーボードカバー１０は、図１〜図３に示すように、外周リブ１３がカバー本体１２の下面における外周部に枠状に連続して設けられ、かつ外周リブ１３がキーボード部４における複数のキーブロック８ａ〜８ｆ全体の外周を囲んだ状態でキーボード本体７の上面における外周上に配置されていることにより、外周リブ１３によって水などの液体がキーボード部４の外周から内側に浸入するのを防ぐように構成されている。
【００２８】
また、このキーボードカバー１０は、図１〜図３に示すように、カバー本体１２が透明または半透明の軟質合成樹脂であるシリコーンゴムで、凹部１２ａに対応するカバー本体１２の厚みが薄いので、キーボード部４を覆って配置された際に、複数のキーブロック８ａ〜８ｆの各キートップがカバー本体１２を通して上方から見るように構成されている。
【００２９】
さらに、このキーボードカバー１０は、図４（ａ）および図４（ｂ）に示すように、カバー本体１２がシリコーンゴムで、凹部１２ａに対応するカバー本体１２の厚みが薄く形成されているので、凹部１２ａに対応する箇所のカバー本体１２を上方から押して弾性変形させることにより、複数のキーブロック８ａ〜８ｆの各キートップを個別に独立させて、キー操作ができるように構成されている。
【００３０】
ところで、タブレット端末１１は、図１に示すように、外形がキーボードカバー１０のカバー本体１２の外形よりも小さく、かつ下面の面積が複数のキーブロック８ａ〜８ｆそれぞれの各面積よりも大きく形成されている。すなわち、このタブレット端末１１は、前後方向（縦方向）の長さがキーボード部４の前後方向（縦方向）の長さとほぼ同じで、カバー本体１２の前後方向（縦方向）の長さよりも短く、かつ複数のキーブロック８ａ〜８ｆそれぞれにおける各前後方向（縦方向）の長さよりも長く形成されている。
【００３１】
また、このタブレット端末１１は、図１に示すように、左右方向（横方向）の長さがカバー本体１２の左右方向（横方向）の長さよりも短い長さで、キーボード部４の左右方向（横方向）の長さよりも短く、かつ複数のキーブロック８ａ〜８ｆそれぞれにおける各左右方向（横方向）の長さよりも長く形成されている。
【００３２】
これにより、タブレット端末１１は、図１に示すように、キーボードカバー１０のカバー本体１２がキーボード部４上に配置され、このカバー本体１２上に載置された際に、枠状の外周リブ１３および格子状の中間リブ１４に跨って配置されることにより、凹部１２ａに対応するカバー本体１２を押し下げることなく載置されるように構成されている。
【００３３】
この場合、キーボードカバー１０は、図１〜図４に示すように、カバー本体１２における手前側の辺部上に滑止め部１５が突出して設けられている。この滑止め部１５は、カバー本体１２上に左右両端部に亘って直線状に設けられていることにより、カバー本体１２に対するタブレット端末１１の手前側への滑りを規制するように構成されている。また、この滑止め部１５は、高さＴ３が外周リブ１３と中間リブ１４との各高さＴ２とほぼ同じ高さで、タブレット端末１１の高さ（厚み）よりも低く形成されている。
【００３４】
また、このキーボードカバー１０は、図１〜図４に示すように、カバー本体１２における手前側の辺部にガード部１６が下側に突出して設けられている。このガード部１６は、ほぼ帯板状に形成され、キーボードカバー１０のカバー本体１２がキーボード部４上に配置された際に、キーボード部４の手前側の前面に配置されて、キーボード部４の前面を覆うように構成されている。
【００３５】
このガード部１６は、図１〜図４に示すように、上下方向の長さがキーボード部４の前端部の高さとほぼ同じ長さ（高さ）で、左右方向の長さがキーボード部４の左右方向の長さ、つまりキーボードカバー１０の左右方向の長さと同じ長さに形成されている。この場合、カバー本体１２は、キーボード部４上に配置された際に、ガード部１６を除いて、カバー本体１２の外周部つまりカバー本体１２の外周リブ１３がキーボード部４上に配置されるように構成されている。
【００３６】
一方、ドロア部２は、図５および図６に示すように、ドロアケース１７を備えている。このドロアケース１７は、レジスタ部１が配置される四角形の箱状に形成されている。このドロアケース１７は、手前側の前面が開放され、内部に引出部１８が引出可能に収納されている。この引出部１８は、上面が開放された箱状に形成され、内部に硬貨ボックス２０と紙幣ボックス２１とが収納されている。
【００３７】
硬貨ボックス２０は、図５に示すように、引出部１８内の手前側に配置され、内部が金種ごとに複数に仕切られて、硬貨を金種ごとに収納するように構成されている。紙幣ボックス２１は、引出部１８内の奥側に配置され、内部が金種ごとに複数に仕切られて、紙幣を金種ごとに収納するように構成されている。この場合、紙幣ボックス２１内には、金種ごとに収納された紙幣をそれぞれ押える複数の紙幣押え部２２が設けられている。
【００３８】
この紙幣押え部２２は、図５および図６に示すように、紙幣ボックス２１内の奥壁上部に上下方向に回転可能に取り付けられ、ばね部材２２ａのばね力によって紙幣ボックス２１内に横倒されて紙幣を押えるように構成されている。また、この紙幣押え部２２は、引出部１８がドロアケース１７内から引き出された状態で、紙幣ボックス２１内に紙幣を収納する際、または紙幣ボックス２１内から紙幣を取り出す際に、ばね部材２２ａのばね力に抗して起立されて、紙幣ボックス２１の後方に傾いた状態で起立するように構成されている。
【００３９】
この場合、紙幣押え部２２は、図６に示すように、引出部１８がドロアケース１７内から引き出された状態で、紙幣ボックス２１の後方に傾いて起立した際に、紙幣押え部２２の先端部（図６では上端部）がキーボード部４の上方に突出した状態で、紙幣押え部２２がカバー本体１２の前端部に設けられたガード部１６に当接するように構成されている。このため、キーボード部４は、紙幣押え部２２が紙幣ボックス２１の後方に傾いた状態で起立しても、紙幣押え部２２がキーボード部４の前面およびタブレット端末１１の前端面に当接しないように構成されている。
【００４０】
次に、このような電子レジスタの作用について説明する。
この電子レジスタを使用する場合には、まず、キーボード部４上にキーボードカバー１０を配置する。このときには、カバー本体１２の外周リブ１３をキーボード本体７の外周に対応させて、外周リブ１３をキーボード本体７の上面における外周上に配置させると共に、カバー本体１２の中間リブ１４を複数のキーブロック８ａ〜８ｆ間に対応させて、中間リブ１４を複数のキーブロック８ａ〜８ｆ間に対応するキーボード本体７の仕切部７ｂ上に配置させる。
【００４１】
これにより、カバー本体１２が複数のキーブロック８ａ〜８ｆを覆った状態でキーボードカバー１０がキーボード本体７上に配置される。このときには、カバー本体１２における手前側の辺部に設けられたガード部１６がキーボード部４におけるキーボード本体７の手前側の前面に配置されてキーボード本体７の前面を覆う。
【００４２】
この状態では、外周リブ１３がカバー本体１２の下面における外周部に枠状に連続して設けられ、この外周リブ１３がキーボード部４の外周つまり複数のキーブロック８ａ〜８ｆ全体の外周を囲んだ状態でキーボード本体７の外周上に配置されている。このため、カバー本体１２の外周リブ１３によってキーボード本体７上における外周から内側に水などの液体が浸入するのを防ぐことができる。
【００４３】
また、この状態では、カバー本体１２の凹部１２ａ内に複数のキーブロック８ａ〜８ｆの各キートップが挿入されてカバー本体１２の下面に接触もしくは接近した状態で配置される。この場合には、カバー本体１２が透明または半透明の軟質合成樹脂であるシリコーンゴムで、凹部１２ａに対応するカバー本体１２の厚みが薄いので、複数のキーブロック８ａ〜８ｆの各キートップがカバー本体１２を通して上方から見る。
【００４４】
また、この場合には、カバー本体１２が軟質合成樹脂であるシリコーンゴムで、凹部１２ａに対応するカバー本体１２の厚みが薄く形成されていることにより、カバー本体１２が上方から押されると、撓み変形する。このため、カバー本体１２を上方から押して撓み変形させた際には、複数のキーブロック８ａ〜８ｆの各キートップを個別に独立させてキー操作させることができる。これにより、キーボード部４のキー操作を行って売上データなどの情報を良好に入力することができる。
【００４５】
このときには、キーボード部４上にキーボードカバー１０を配置させた状態で、キーボード部４の各キートップを操作して売上データなどの情報を入力すると、その入力された情報がレジスタ本体３の表示部５に表示され、この表示された情報がプリンタ部６の印字部によってロール状の記録紙に印字され、この印字された記録紙がレジスタ本体３の記録紙排出口６ａからレシートとして発行される。
【００４６】
一方、キーボード部４上に配置されたキーボードカバー１０のカバー本体１２上に外部端末であるタブレット端末１１を載置させて操作することができる。このときには、タブレット端末１１の外形がカバー本体１２の外形よりも小さく、かつタブレット端末１１の下面の面積が複数のキーブロック８ａ〜８ｆそれぞれの各面積よりも大きく形成されている。
【００４７】
このため、タブレット端末１１は、キーボードカバー１０のカバー本体１２上に載置された際に、枠状の外周リブ１３および格子状の中間リブ１４に跨って配置されることにより、凹部１２ａに対応するカバー本体１２を押し下げることがなく、外周リブ１３および中間リブ１４によって支持されたカバー本体１２上に載置される。
【００４８】
また、このときには、カバー本体１２上に載置されたタブレット端末１１の前端下部がカバー本体１２における手前側の辺部上に突出して設けられた滑止め部１５に当接する。このため、カバー本体１２上に載置されたタブレット端末１１がカバー本体１２の手前側に向けて滑らないように規制される。これにより、カバー本体１２上に載置されたタブレット端末１１が操作中に手前側に位置ずれすることがないので、タブレット端末１１を良好に操作することができる。
【００４９】
この状態では、タブレット端末１１がプリンタ部６の記録紙排出口６ａを覆い隠すことがないため、カバー本体１２上にタブレット端末１１を載置させた状態で、プリンタ部６で印字されたロール状の記録紙をレジスタ本体３の記録紙排出口６ａからレシートとして発行することができる。
【００５０】
この場合、ユーザと顧客との間で現金の受け渡しを行う際には、ドロア部２のドロアケース１７内から引出部１８を引き出して現金の受け渡しを行う。このとき、ユーザが顧客から受け取った紙幣を収納する際、あるいはユーザが紙幣を取り出して顧客に手渡す際には、引出部１８内の紙幣ボックス２１内に設けられた紙幣押え部２２を起立させて、紙幣ボックス２１内に紙幣を収納したり、あるいは紙幣ボックス２１内から紙幣を取り出したりする。そして、紙幣押え部２２を横倒させて紙幣を紙幣ボックス２１内に押え付ける。
【００５１】
この場合、紙幣ボックス２１内に設けられた紙幣押え部２２を起立させた際には、紙幣押え部２２の先端部（図６では上端部）がキーボード部４の上方に突出した状態で、紙幣押え部２２がカバー本体１２の前端部に設けられたガード部１６に当接する。このため、紙幣押え部２２が紙幣ボックス２１の後方に傾いた状態で起立しても、紙幣押え部２２がキーボード部４の前面に当接することがないので、キーボード部４の前面を傷付けることがない。
【００５２】
また、このときには、紙幣押え部２２がカバー本体１２のガード部１６に当接することにより、紙幣押え部２２が紙幣ボックス２１の後方に傾いた状態で起立しても、カバー本体１２上に配置されたタブレット端末１１の前面にも当接することがない。このため、起立した紙幣押え部２２によってタブレット端末１１の前面が傷付くことがない。
【００５３】
このように、この電子レジスタのキーボードカバー１０によれば、キーボード部４を覆って配置され、上面に外部端末であるタブレット端末１１が載置可能なカバー本体１２と、このカバー本体１２における手前側の辺部に設けられて、キーボード部４の手前側の前面を覆うガード部１６と、を備えていることにより、キーボード部４の前面をガード部１６によって確実にかつ良好に保護することができ、これによりキーボード部４の前面側に物がぶつかって、キーボード部４の前面が傷付かないようにすることができる。
【００５４】
この場合、このキーボードカバー１０では、カバー本体１２の外周部が、ガード部１６を除いて、キーボード部４の上面における外周上に配置されるように構成されていることにより、キーボード部４を覆ってカバー本体１２を配置する際に、ガード部１６をキーボード部４の前面に対応させた状態で、カバー本体１２をキーボード部４の上側に確実にかつ良好に配置させることができる。
【００５５】
また、このキーボードカバー１０では、キーボード部４の外周を囲む外周支持部である枠状の外周リブ１３がカバー本体１２の下面に設けられていることにより、カバー本体１２がキーボード部４を覆って配置された際に、枠状の外周リブ１３がキーボード本体７上に配置されるので、この枠状の外周リブ１３によってキーボード部４の複数のキーブロック８ａ〜８ｆ全体の外周を囲うことができ、これによりキーボード部４の外周から内側に水などの液体が浸入するのを確実にかつ良好に防ぐことができる。
【００５６】
また、このキーボードカバー１０では、キーボード部４の複数のキーブロック８ａ〜８ｆ間に配置される中間支持部である格子状の中間リブ１４がカバー本体１２の下面に設けられていることにより、カバー本体１２がキーボード部４を覆って配置された際に、複数のキーブロック８ａ〜８ｆ間に対応する格子状の中間リブ１４がキーボード本体７の仕切部７ｂ上に配置されるので、複数のキーブロック８ａ〜８ｆ間に対応する箇所のカバー本体１２を格子状の中間リブ１４によって確実にかつ良好に支持することができる。
【００５７】
これにより、このキーボードカバー１０では、キーボード部４を覆ってカバー本体１２が配置された際に、カバー本体１２が軟質合成樹脂であるシリコーンゴムで形成されても、枠状の外周リブ１３および格子状の中間リブ１４によってカバー本体１２をキーボード部４の上側に確実にかつ良好に支持することができる。
【００５８】
この場合、キーボードカバー１０上に配置されるタブレット端末１１は、外形がキーボードカバー１０のカバー本体１２の外形よりも小さく、かつタブレット端末１１の下面の面積が複数のキーブロック８ａ〜８ｆそれぞれの各面積よりも大きく形成されていることにより、タブレット端末１１をカバー本体１２上に配置させた際に、タブレット端末１１を枠状の外周リブ１３および格子状の中間リブ１４に跨って配置させることができる。
【００５９】
このため、このキーボードカバー１０では、カバー本体１２上に外部端末であるタブレット端末１１を載置させても、このタブレット端末１１によって凹部１２ａに対応するカバー本体１２を押し下げることがないので、キーボード部４の各キートップが押されることがなく、カバー本体１２上にタブレット端末１１を良好に載置して操作することができる。
【００６０】
この場合、このキーボードカバー１０では、枠状の外周リブ１３および格子状の中間リブ１４によって囲われたカバー本体１２の箇所に凹部１２ａが複数のキーブロック８ａ〜８ｆそれぞれに対応して設けられていることにより、これら凹部１２ａ内に複数のキーブロック８ａ〜８ｆの各キートップを挿入させてカバー本体１２の下面に接触もしくは接近させた状態で良好に配置させることができる。
【００６１】
このため、このキーボードカバー１０では、カバー本体１２が軟質合成樹脂であるシリコーンゴムで、凹部１２ａに対応するカバー本体１２の厚みが薄く形成されていることにより、カバー本体１２を上方から押した際に、凹部１２ａに対応するカバー本体１２を良好に弾性変形させることができる。これにより、複数のキーブロック８ａ〜８ｆの各キートップを個別に独立させてキー操作させることができるので、キーボード部４のキー操作を良好に操作して確実に情報を入力することができる。
【００６２】
また、このキーボードカバー１０では、カバー本体１２が透明または半透明の軟質合成樹脂であるシリコーンゴムで形成されていることにより、カバー本体１２を通して複数のキーブロック８ａ〜８ｆの各キートップを上方から見ることができる。この場合、枠状の外周リブ１３および格子状の中間リブ１４によって囲われた凹部１２ａに対応するカバー本体１２の厚みが薄いので、複数のキーブロック８ａ〜８ｆの各キートップを上方から確実にかつ良好に見ることができる。
【００６３】
この場合、このキーボードカバー１０では、カバー本体１２が透明なシリコーンゴムで形成されていれば、キーボード部４の各キートップのキー表示を鮮明に視認することができる。また、このキーボードカバー１０では、カバー本体１２が半透明のシリコーンゴムで形成されていれば、キーボード部４の各キートップのキー表示を鮮明に視認することが難しくなるため、キーボード部４上にキーボードカバー１０が配置されることを確実にかつ良好に視認することができる。
【００６４】
また、このキーボードカバー１０では、キーボード部４が設けられたレジスタ本体３が金銭を収納するドロア部２上における手前側に配置されていることにより、キーボード部４を覆ってキーボードカバー１０が配置された状態で、キーボード部４をキー操作して売上データを入力することができると共に、ドロア部２を開放させて顧客との間で金銭の受け渡しをすることができる。
【００６５】
この場合、キーボードカバー１０のガード部１６は、ドロア部２の内部に収納された引出部１８が引き出された状態で、引出部１８内の紙幣押え部２２を起立させた際に、紙幣押え部２２が当接することにより、紙幣押え部２２がキーボード部４の前面に当接することがないので、キーボード部４の前面が紙幣押え部２２によって傷付かないようにすることができる。
【００６６】
すなわち、このキーボードカバー１０では、紙幣ボックス２１内に設けられた紙幣押え部２２を起立させた際に、紙幣押え部２２の上端部がキーボード部４の上方に突出した状態で、紙幣押え部２２がキーボードカバー１０の前端部に設けられたガード部１６に当接するので、紙幣押え部２２が紙幣ボックス２１の後方に傾いた状態で起立しても、紙幣押え部２２がキーボード部４の前面に当接することがないので、キーボード部４の前面が傷付かないようにすることができる。
【００６７】
また、このキーボードカバー１０では、紙幣押え部２２がカバー本体１２のガード部１６に当接することにより、紙幣押え部２２が紙幣ボックス２１の後方に傾いた状態で起立しても、キーボードカバー１０上に載置されたタブレット端末１１の前面にも当接することがないので、起立した紙幣押え部２２によってタブレット端末１１の前面が傷付かないようにすることができる。
【００６８】
（第２実施形態）
次に、図７〜図１１を参照して、この発明を電子レジスタに適用した第２実施形態について説明する。なお、図１〜図６に示された第１実施形態と同一部分には同一符号を付して説明する。
この電子レジスタは、図７〜図１１に示すように、外部端末であるタブレット端末３０とキーボードカバー３１とが第１実施形態と異なる構造であり、これ以外は第１実施形態とほぼ同じ構造になっている。
【００６９】
このタブレット端末３０は、図７に示すように、外形が第１実施形態のタブレット端末１１の外形よりも大きく形成されている。すなわち、このタブレット端末３０は、前後方向（縦方向）の長さがキーボード部４のキーボード本体７における前後方向の長さよりも長く、かつ左右方向（横方向）の長さがキーボード部４のキーボード本体７における左右方向の長さよりも短く形成されている。
【００７０】
このため、キーボードカバー３１は、図７〜図１１に示すように、上面にタブレット端末３０を載置させるために、カバー本体３２がキーボード部４上に配置された際に、キーボード部４のキーボード本体７における手前側に延長された大きさに形成されている。すなわち、このキーボードカバー３１は、カバー本体３２における手前側の辺部に、キーボード部４の手前側の前面を覆うガード部３３が、キーボード部４の前面からドロア部２の前面よりも手前側に向けて延長されて設けられた構造になっている。
【００７１】
これにより、キーボードカバー３１は、図７〜図１１に示すように、カバー本体３２がキーボード部４上に配置された際に、カバー本体３２の手前側の辺部に設けられたガード部３３がドロア部２の前面よりも手前側に延長された状態で配置されることにより、タブレット端末３０がキーボードカバー３１上から前後方向に突出することなく載置されるように構成されている。
【００７２】
このため、タブレット端末３０は、図７〜図１１に示すように、キーボードカバー３１上に載置された際に、タブレット端末３０の手前側の辺部がカバー本体３２のガード部３３上から手前側に突出することがなく配置される。また、このタブレット端末３０は、キーボードカバー３１上に載置された際に、タブレット端末３０の奥側の辺部がカバー本体３２上から奥側に突出することがなく、かつプリンタ部６の記録紙排出口６ａを塞ぐことがなく配置されるように構成されている。
【００７３】
この場合にも、キーボードカバー３１は、第１実施形態と同様、カバー本体３２がシリコーンゴム、ウレタンゴムなどの透明または半透明の軟質合成樹脂で、好ましくはシリコーンゴムで形成されている。このキーボードカバー３１のガード部３３は、図１１に示すように、ドロア部２の前面よりも手前側に突出して配置され、キーボード部４の手前側の前面を覆うように形成されている。
【００７４】
この場合、ガード部３３の内部には、図９（ａ）〜図９（ｃ）に示すように、空間部３３ａがキーボード部４の前面側および下面側に向けて開放された状態でガード部３３の左右方向（横方向）に沿って設けられている。この空間部３３ａ内には、複数の補強リブ３４がガード部３３の左右方向に沿って等間隔で設けられている。これら複数の補強リブ３４は、空間部３３ａ内の前部および上部に板状に設けられて、奥側に露出する端部がキーボード部４の前面に当接するように構成されている。
【００７５】
この場合にも、キーボードカバー３１は、図７〜図１１に示すように、第１実施形態と同様、カバー本体３２の下面に、キーボード部４における複数のキーブロック８ａ〜８ｆ全体の外周を囲う枠状の外周リブ１３と、複数の複数のキーブロック８ａ〜８ｆ間に配置される格子状の中間リブ１４と、が設けられた構造になっている。これにより、キーボードカバー３１は、第１実施形態と同様、枠状の外周リブ１３と格子状の中間リブ１４とで囲われた箇所に凹部３２ａが設けられている。
【００７６】
また、カバー本体３２の手前側の上面、つまりガード部３３の手前側の上面には、図８〜図１１に示すように、第１実施形態と同様、滑止め部１５が上方に突出して設けられている。さらに、レジスタ部１は、第１実施形態と同様、内部に引出部１８が収納されたドロア部２上に配置されている。
【００７７】
この場合、レジスタ部１は、図１１に示すように、レジスタ本体３上に配置されたキーボード部４の手前側の前面が、ドロア部２の前面とほぼ同じ位置で、ドロア部２上に配置されている。また、ドロア部２の引出部１８は、第１実施形態と同様、内部に硬貨ボックス２０と紙幣ボックス２１とが収納されており、紙幣ボックス２１内には、複数の紙幣押え部２２が設けられている。
【００７８】
次に、このような電子レジスタの作用について説明する。
この電子レジスタを使用する場合には、まず、キーボード部４上にキーボードカバー３１を配置する。このときには、第１実施形態と同様、カバー本体３２の外周リブ１３をキーボード部４のキーボード本体７の外周に対応させて、外周リブ１３をキーボード本体７の外周上に配置させると共に、カバー本体３２の中間リブ１４を複数のキーブロック８ａ〜８ｆ間に対応させて、中間リブ１４を複数のキーブロック８ａ〜８ｆ間に対応するキーボード本体７の仕切部７ｂ上に配置させる。
【００７９】
これにより、カバー本体３２が複数のキーブロック８ａ〜８ｆを覆った状態でキーボード部４のキーボード本体７上に配置される。このときには、カバー本体３２における手前側の辺部に設けられたガード部３３が、キーボード部４の手前側の前面に配置されてキーボード部４の前面を覆う。この場合には、ガード部３３内の空間部３３ａ内に設けられた複数の補強リブ３４の外端部がキーボード部４の前面に押し当てられた状態で、ガード部３３がキーボード部４の前面からドロア部２の前面側に突出して配置される。
【００８０】
この状態では、キーボードカバー３１の外周リブ１３がカバー本体３２の下面における外周部に枠状に連続して設けられ、この外周リブ１３がキーボード部４における複数のキーブロック８ａ〜８ｆ全体の外周を囲んだ状態でキーボード本体７の外周上に配置される。このため、第１実施形態と同様、カバー本体３２の外周リブ１３によってキーボード部４上における外周から内側に水などの液体が浸入するのを防ぐことができる。
【００８１】
また、この状態では、第１実施形態と同様、カバー本体３２の凹部３２ａ内に複数のキーブロック８ａ〜８ｆの各キートップが挿入されてカバー本体３２の下面に接触もしくは接近した状態で配置される。この場合にも、カバー本体３２が透明または半透明の軟質合成樹脂であるシリコーンゴムで、凹部３２ａに対応するカバー本体３２の厚みが薄いので、複数のキーブロック８ａ〜８ｆの各キートップがカバー本体３２を通して上方から見える。
【００８２】
また、この場合にも、カバー本体３２が軟質合成樹脂であるシリコーンゴムで、凹部３２ａに対応するカバー本体３２の厚みが薄く形成されていることにより、カバー本体３２が上方から押されると、撓み変形する。このため、カバー本体３２を上方から押して撓み変形させた際には、複数のキーブロック８ａ〜８ｆの各キートップを個別に独立させてキー操作ができる。これにより、キーボード部４のキー操作を行って売上データなどの情報を良好に入力することができる。
【００８３】
このときにも、キーボード部４上にカバー本体３２を配置させた状態で、キーボード部４の各キートップを操作して売上データなどの情報を入力すると、その入力された情報がレジスタ本体３の表示部５に表示され、この表示された情報がプリンタ部６の印字部によってロール状の記録紙に印字され、この印字された記録紙がレジスタ本体３の記録紙排出口６ａからレシートとして発行される。
【００８４】
ところで、キーボード部４上に配置されたキーボードカバー３１上に外部端末であるタブレット端末３０を載置させる場合には、タブレット端末３０の前後方向の長さが、キーボード部４の前後方向の長さよりも長く、かつキーボードカバー３１の前後方向の長さとほぼ同じで、タブレット端末３０の左右方向の長さがキーボードカバー３１の左右方向の長さよりも短いので、キーボードカバー３１からタブレット端末３０がはみ出すことがなく良好に載置される。
【００８５】
すなわち、タブレット端末３０は、手前側の辺部がカバー本体３２のガード部３３上にその手前側に突出することなく配置され、奥側の辺部がカバー本体３２の奥側の辺部上にその奥側に突出することなく配置されることにより、キーボードカバー３１からタブレット端末３０の前後方向の各辺部がはみ出すことなく載置される。
【００８６】
このため、タブレット端末３０は、キーボードカバー３１のカバー本体３２上に載置された際に、第１実施形態と同様、枠状の外周リブ１３および格子状の中間リブ１４に跨って配置されることにより、凹部３２ａに対応するカバー本体３２を押し下げることがなく、外周リブ１３および中間リブ１４によって支持されたカバー本体３２上に載置される。
【００８７】
また、このときには、キーボードカバー３１上に載置されたタブレット端末３０の前面下部がカバー本体３２のガード部３３の手前側の辺部上に突出して設けられた滑止め部１５に当接する。このため、キーボードカバー３１上に載置されたタブレット端末３０がカバー本体３２の手前側に向けて滑らないように規制される。これにより、カバー本体３２上に載置されたタブレット端末３０が操作中に手前側に位置ずれすることがないので、タブレット端末３０を良好に操作することができる。
【００８８】
この状態では、タブレット端末３０がプリンタ部６の記録紙排出口６ａを覆い隠すことがないため、カバー本体３２上にタブレット端末３０を載置させた状態で、プリンタ部６で印字されたロール状の記録紙をレジスタ本体３の記録紙排出口６ａからレシートとして発行することができる。この場合、ユーザと顧客との間で現金の受け渡しを行う際には、第１実施形態と同様、ドロア部２のドロアケース１７内から引出部１８を引き出して現金の受け渡しを行う。
【００８９】
このとき、ユーザが顧客から受け取った紙幣を収納する際、あるいはユーザが紙幣を取り出して顧客に手渡す際には、引出部１８内の紙幣ボックス２１内に設けられた紙幣押え部２２を起立させて、紙幣ボックス２１内に紙幣を収納したり、あるいは紙幣ボックス２１内から紙幣を取り出したりする。そして、紙幣押え部２２を横倒させて紙幣を紙幣ボックス２１内に押え付ける。
【００９０】
この場合、紙幣ボックス２１内に設けられた紙幣押え部２２を起立させた際には、紙幣押え部２２の先端部（図１１では上端部）がキーボード部４の上方に突出した状態で、紙幣押え部２２がカバー本体３２の前端部に設けられたガード部３３に当接する。このため、紙幣押え部２２が紙幣ボックス２１内から上方に起立しても、紙幣押え部２２がキーボード部４の前面に当接することがないので、キーボード部４の前面が傷付くことがない。
【００９１】
また、このときには、紙幣押え部２２がカバー本体３２のガード部３３に当接することにより、紙幣押え部２２が紙幣ボックス２１内から上方に起立しても、キーボードカバー３１上に載置されたタブレット端末３０の前面にも当接することがない。このため、起立した紙幣押え部２２によってタブレット端末３０の前面が傷付くことがない。
【００９２】
このように、この電子レジスタのキーボードカバー３１によれば、第１実施形態と同様の作用効果があるほか、ガード部３３がドロア部２の前面よりも手前側に延長されて設けられていることにより、ドロア部２の内部に収納された引出部１８が引き出された状態で、引出部１８内の紙幣押え部２２を起立させた際に、ドロア部２の前面よりも手前側に延長されたガード部３３に紙幣押え部２２を確実にかつ良好に当接させることができる。
【００９３】
すなわち、このキーボードカバー３１では、タブレット端末３０の前後方向の長さがキーボード部４の前後方向の長さよりも長くても、ガード部３３がドロア部２の前面よりも手前側に延長されて設けられていることにより、キーボードカバー３１のカバー本体３２上にタブレット端末３０を載置させた際に、タブレット端末３０がキーボードカバー３１から外周側にはみ出すことなく、タブレット端末３０を良好に載置させることができる。
【００９４】
このため、このキーボードカバー３１では、紙幣押え部２２がキーボード部４の前面に当接しないようにすることができると共に、キーボードカバー１０のカバー本体３２上に載置されたタブレット端末３０の前面にも当接しないようにすることができるので、起立した紙幣押え部２２によってキーボード部４の前面とタブレット端末３０の前面とが傷付かないようにすることができる。
【００９５】
この場合、ガード部３３は、内部に空間部３３ａがキーボード部４の前面側および下面側に向けて開放されて設けられ、この空間部３３ａ内に複数の補強リブ３４が設けられていることにより、ガード部３３がキーボード部４の手前側の辺部から手前側に向けて延長されて設けられていても、空間部３３ａによってキーボードカバー３１の材料を削減することができると共に、ガード部３３の内部に空間部３３ａを設けても、複数の補強リブ３４によってガード部３３の強度を確保することができる。
【００９６】
すなわち、このガード部３３は、内部に設けられた空間部３３ａによってキーボードカバー３１の材料を削減することによって、キーボードカバー３１の重量を軽くして軽量化を図ることができると共に、低価格化を図ることができる。また、このガード部３３は、内部に空間部３３ａを設けても、複数の補強リブ３４によってガード部３３の強度を確保することができるので、キーボード部４の前面を確実にかつ良好に保護することができる。
【００９７】
なお、上述した第２実施形態では、キーボード部４の手前側の辺部よりも手前側に向けて延長された延長部としてのガード部３３の内部に空間部３３ａを設け、この空間部３３ａ内に複数の補強リブ３４を設けた場合について述べたが、この発明は、必ずしもガード部３３の内部に空間部３３ａおよび補強リブ３４を設ける必要はなく、単純にキーボード部４の手前側の辺部から手前側に向けて延長されたガード部であっても良い。
【００９８】
また、上述した第１、第２実施形態では、滑止め部１５がカバー本体１２上、またはカバー本体３２のガード部３３上に直線状に設けられている場合について述べたが、この発明は、これに限らず、例えばカバー本体１２上、またはカバー本体３２のガード部３３上に直線に沿って不連続状態で部分的に設けられた構造であっても良い。
【００９９】
また、上述した第１、第２実施形態では、キーボードカバー１０、３１のカバー本体１２、３２上に載置される外部端末としてタブレット端末１１、３０を用いた場合について述べたが、この発明は、これに限らず、例えば携帯情報端末や事務端末などの電子機器であっても良い。
【０１００】
さらに、上述した第１、第２実施形態では、電子レジスタに適用した場合について述べたが、この発明は、必ずしも電子レジスタである必要はなく、例えばキーボード部を備えたノート型のパーソナルコンピュータ、あるいはキーボードを備えた据置型のパーソナルコンピュータなどのキーボードを備えた電子機器にも適用することができる。
【０１０１】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【０１０２】
（付記）
請求項１に記載の発明は、キーボードを覆って配置され、上面に外部端末が載置可能なカバー本体と、前記カバー本体における手前側の辺部に設けられ、前記キーボードの手前側の前面を覆うガード部と、を備えていることを特徴とするキーボードカバーである。
【０１０３】
請求項２に記載の発明は、請求項１に記載のキーボードカバーにおいて、前記カバー本体の外周部は、前記ガード部を除いて、前記キーボードの上面における外周上に配置されるように構成されていることを特徴とするキーボードカバーである。
【０１０４】
請求項３に記載の発明は、請求項１または請求項２に記載のキーボードカバーにおいて、前記キーボードは、レジスタ本体上における手前側に設けられており、前記レジスタ本体は、金銭を収納するドロア上に配置されていることを特徴とするキーボードカバーである。
【０１０５】
請求項４に記載の発明は、請求項３に記載のキーボードカバーにおいて、前記ガード部は、前記ドロアの引出部が引き出された状態で、前記引出部内の紙幣押え部が起立した際に、前記紙幣押え部が当接することを特徴とするキーボードカバーである。
【０１０６】
請求項５に記載の発明は、請求項３または請求項４に記載のキーボードカバーにおいて、前記ガード部は、前記ドロアの前面よりも手前側に延長して設けられていることを特徴とするキーボードカバーである。
【０１０７】
請求項６に記載の発明は、請求項５に記載のキーボードカバーにおいて、前記ガード部は、内部に空間部が設けられ、前記空間部内に補強リブが設けられていることを特徴とするキーボードカバーである。
【０１０８】
請求項７に記載の発明は、請求項１〜請求項６のいずれかに記載のキーボードカバーにおいて、前記カバー本体の下面には、前記キーボードの外周を囲む外周支持部と、前記キーボードの複数のキーブロック間に配置される中間支持部と、が設けられていることを特徴とするキーボードカバーである。
【０１０９】
請求項８に記載の発明は、請求項１〜請求項７のいずれかに記載のキーボードカバーにおいて、前記カバー本体は、透明または半透明の軟質合成樹脂で形成されていることを特徴とするキーボードカバーである。
【０１１０】
請求項９に記載の発明は、請求項１〜請求項８のいずれかに記載されたキーボードカバーを備えていることを特徴とする電子レジスタである。
【符号の説明】
【０１１１】
１  レジスタ部
２  ドロア部
３  レジスタ本体
４  キーボード部
７  キーボード本体
７ａ  開口部
７ｂ  仕切部
８ａ〜８ｆ  第１〜第６キーブロック
１０、３１  キーボードカバー
１１、３０  タブレット端末
１２、３２  カバー本体
１２ａ、３２ａ  凹部
１３  外周リブ
１４  中間リブ
１５  滑止め部
１６、３３  ガード部
１７  ドロアケース
１８  引出部
２０  硬貨ボックス
２１  紙幣ボックス
２２  紙幣押え部
３３ａ  空間部
３４  補強リブ
【図１】
2019185650.tif 000003
【図２】
2019185650.tif 000004
【図３】
2019185650.tif 000005
【図４】
2019185650.tif 000006
【図５】
2019185650.tif 000007
【図６】
2019185650.tif 000008
【図７】
2019185650.tif 000009
【図８】
2019185650.tif 000010
【図９】
2019185650.tif 000011
【図１０】
2019185650.tif 000012
【図１１】
2019185650.tif 000013